(57)【要約】【課題】隔壁、シャーシ、操作パネル面上に取付けられるコネクタの組み付け作業の改善を図ったコネクタの取付け構造を提供することを目的とする。【解決手段】パネルにコネクタを固定するための少なくとも一つのワッシャとナットを備え、前記ワッシャとナットの間にアースワッシャを挟んで前記ナットにより前記パネルに固定されるコネクタの取付け構造において、予め信号ケーブルにワッシャ、アースワッシャ、ナットの順に通した状態でかつ、グランドケーブルの他端を前記アースワッシャに固定するとともに、前記孔に前記ワッシャ、アースワッシャ、ナットを前記パネルの表面に対して略９０度傾けた状態で通過するためのスリットを形成した。【選択図】図１
2010212217.tif 000002
【特許請求の範囲】
【請求項１】
回転防止用のすり落としが形成されたねじと、該ねじの一端に形成されたフランジを有するコネクタと、前記ねじの先端部に信号ケーブルを介して取付けられた接続プラグと、前記接続プラグに一端が接続され他端がアースワッシャに接続されるグランドケーブルと、前記すり落としが形成されたねじの断面と同形状の孔が形成されたパネルと、前記ねじを前記孔に挿入した状態で前記パネルに前記コネクタを固定するための少なくとも一つのワッシャとナットを備え、前記ワッシャとナットの間に前記アースワッシャを挟んで前記ナットにより前記パネルに固定されるコネクタの取付け構造において、予め前記信号ケーブルにワッシャ、アースワッシャ、ナットの順に通した状態でかつ、前記グランドケーブルの他端を前記アースワッシャに固定するとともに、前記孔に前記ワッシャ、アースワッシャ、ナットを前記パネルの表面に対して略９０度傾けた状態で通過するためのスリットを形成したことを特徴とするコネクタの取付け構造。
【請求項２】
前記スリットは前記孔の対向する２箇所に形成したことを特徴とする請求項１に記載のコネクタの取付け構造。
【請求項３】
前記スリットは前記スリットの幅はいずれかの部品の最大の幅よりもわずかに大きく形成するか、若しくはワッシャ、アースワッシャ、ナットの厚さを合わせた幅よりわずかに大きな幅に形成したことを特徴とする請求項１又は２に記載のコネクタの取付け構造。
【発明の詳細な説明】
【技術分野】
【０００１】
本発明は隔壁、シャーシ、操作パネル面上に取付けられるコネクタの組み付け作業の改善を図ったコネクタの取付け構造に関するものである。
【背景技術】
【０００２】
図２（ａ〜ｄ）は従来のコネクタの取付け構造を示すパネルの正面図（ａ）、コネクタとパネルの取付け状態を示す斜視図（ｂ，ｃ，ｄ）である。
図２（ａ）は回転防止用のすり落としが形成されたねじに対応する孔７ａが形成されたパネル７である。
図２（ｂ）はパネル７にコネクタ１を取付けるための構成部品を示すもので、円筒状に形成されたコネクタ１の端部にはフランジ1ｆが形成され、フランジ1ｆには回転防止用のすり落とし１ｇが形成されたねじ１ｄの一端が固定されている。
【０００３】
ねじの他端には端子１ｅが設けられ、この端子には信号ケーブル２ａの一端がハンダ付けにより接続されている。信号ケーブル２ａの他端は接続プラグ３に接続されており、この接続プラグ３にはグランド（ＧＮＤ）ケーブルの一端が接続され、他端は自由端とされている。なお、接続プラグ３は孔７ａを自由に通り抜けできる程度の大きさに形成されており、信号ケーブル２ａとＧＮＤケーブル２ｂは十分に柔軟性を有しているものとする。
【０００４】
上述の構成において、組立に際しては図２（ｂ），（ｃ）に示すように、接続プラグを孔７ａに通し、続いて信号ケーブルとＧＮＤケーブルが挿入され、コネクタ１を構成するすり落としを有するねじ１ｄが孔７ａに合わせて挿入される。
【０００５】
次に接続プラグ側から内歯ワッシャ１ａ、アースワッシャ１ｂ、六角ナット１ｃの順に信号ケーブルとＧＮＤケーブルに差し入れてフランジ１ｆのフラット面をパネル７に当接させてコネクタ１をナットでパネルに固定する。
次にＧＮＤケーブル２ｂの他端をアースワッシャ１ｂの突起部にハンダ付けにより固定して組み付け作業が終了する。
【先行技術文献】
【特許文献】
【０００６】
【特許文献１】実開昭６２−１８４６７９号公報
【特許文献２】実公平６−３３６６４号公報
【特許文献３】特開平１１−２８３７０６号公報
【発明の概要】
【発明が解決しようとする課題】
【０００７】
ところで、上述の従来技術においては、コネクタ１、信号ケーブル２ａ、ＧＮＤケーブル２ｂ、接続プラグ３、内歯ワッシャ１ａ、アースワッシャ１ｂ、六角ナット１ｃを1つのアセンブリとして共用化し在庫していた。
【０００８】
組立作業の中では、はんだ付けの作業工数が大きな割合を占めるが、アセンブリの組立作業でのはんだ付け作業（端子１ｅと信号ケーブル２ａ）とパネル７への組立後のはんだ付け作業（アースワッシャ１ｂとＧＮＤケーブル２ｂ）が必要となることで作業効率が悪いという問題があった。
【０００９】
従って本発明の目的は、コネクタ１、信号ケーブル２ａ、ＧＮＤケーブル２ｂ、接続プラグ３、内歯ワッシャ１ａ、アースワッシャ１ｂ、六角ナット１ｃを１つのアセンブリとして共用化するとともに、はんだ付け作業の効率を上げるために端子１ｅと信号ケーブル２ａ、アースワッシャ１ｂとＧＮＤケーブル２ｂのはんだ付け作業を同時に行ってケーブル組立として在庫することにより作業効率を向上させることにある。
【課題を解決するための手段】
【００１０】
本発明は上記問題点を解決するためになされたもので、請求項１に記載のコネクタの取付け構造の発明においては、
回転防止用のすり落としが形成されたねじと、該ねじの一端に形成されたフランジを有するコネクタと、前記ねじの先端部に信号ケーブルを介して取付けられた接続プラグと、前記接続プラグに一端が接続され他端がアースワッシャに接続されるグランドケーブルと、前記すり落としが形成されたねじの断面と同形状の孔が形成されたパネルと、前記ねじを前記孔に挿入した状態で前記パネルに前記コネクタを固定するための少なくとも一つのワッシャとナットを備え、前記ワッシャとナットの間に前記アースワッシャを挟んで前記ナットにより前記パネルに固定されるコネクタの取付け構造において、予め前記信号ケーブルにワッシャ、アースワッシャ、ナットの順に通した状態でかつ、前記グランドケーブルの他端を前記アースワッシャに固定するとともに、前記孔に前記ワッシャ、アースワッシャ、ナットを前記パネルの表面に対して略９０度傾けた状態で通過するためのスリットを形成したことを特徴とする。
【００１１】
請求項２においては、請求項１に記載のコネクタの取付け構造において、
前記スリットは前記孔の対向する２箇所に形成したことを特徴とする。
【００１２】
請求項３においては、請求項１又は２に記載のコネクタの取付け構造において、
前記スリットは前記スリットの幅はいずれかの部品の最大の幅よりもわずかに大きく形成するか、若しくはワッシャ、アースワッシャ、ナットの厚さを合わせた幅よりわずかに大きな幅に形成したことを特徴とする。
【発明の効果】
【００１３】
本発明の請求項１乃至３によれば、パネルにコネクタを固定するための少なくとも一つのワッシャとナットを備え、ワッシャとナットの間にアースワッシャを挟んでナットによりパネルに固定されるコネクタの取付け構造において、予め信号ケーブルにワッシャ、アースワッシャ、ナットの順に通した状態でかつ、グランドケーブルの他端をアースワッシャに固定するとともに、孔にワッシャ、アースワッシャ、ナットをパネルの表面に対して略９０度傾けた状態で通過するためのスリットを形成したので、端子と信号ケーブル、アースワッシャとＧＮＤケーブルのはんだ付け作業を同じタイミングで作業できるため、はんだ付け作業効率が改善された。
【００１４】
また、コネクタには内歯ワッシャ、アースワッシャ、六角ナットがセット部品として取り付いているが、ハンダ付け作業の際にこれらを取り外す必要がないことも作業の効率化に繋がる。
【００１５】
パネルへ取付ける際には内歯ワッシャ、アースワッシャ、六角ナットをコネクタから取り外しても信号ケーブルがこれらの孔に通った状態であるため、ばらばらにならず作業性が良い。
【図面の簡単な説明】
【００１６】
【図１】本発明のコネクタの取付け構造の実施形態の一例を示す構成図である。
【図２】従来のコネクタの取付け構造の一例を示す構成図である。
【発明を実施するための形態】
【００１７】
図１（ａ〜ｈ）は本発明のコネクタの取付け構造を示すパネルの正面図（ａ）、コネクタとパネルの取付け状態を示す斜視図（ｂ〜ｆ）およびスリットの他の実施例を示す正面図である。
【００１８】
図（ａ）において、パネル７には図（ｂ）に示すねじ１ｄの回転防止用のすり落とし部に対応する平行面を有する孔７ｂが形成されており、この孔７ｂには局面部に長さｔ、幅ｋのスリット７ｃが形成されている。
【００１９】
長さｔは図（ｂ）に示す内歯ワッシャ１ａ、アースワッシャ１ｂ、６角ナット１ｃ
の外径よりわずかに大きく形成され，幅ｋは内歯ワッシャ１ａ、アースワッシャ１ｂ、６角ナット１ｃのいずれかの部品の最大の幅よりもわずかに大きく、若しくはこれらを重ねた状態の幅よりもわずかに大きく形成されている。
【００２０】
図（ｂ）において、ケーブル組立１０は、コネクタ１のねじ１ｄに内歯ワッシャ１ａ、アースワッシャ１ｂ、６角ナット１ｃが順次取付けられ、接続プラグ３に一端が接続された信号ケーブル２ａおよびＧＮＤケーブル２ｂの他端が端子１ｅおよびアースワッシャ１ｂの突起にハンダ付けされた状態で在庫されている。
【００２１】
なお、図２に示す従来例で述べたと同様、接続プラグ３は孔７ｂを自由に通り抜けできる程度の大きさに形成されており、信号ケーブル２ａとＧＮＤケーブル２ｂは十分に柔軟性を有しているものとする。
【００２２】
図（ｃ）は、ケーブル組立１０を構成する接続プラグ３がパネルの孔７ｂに通された状態を示している。
図（ｄ）は内歯ワッシャ１ａ、アースワッシャ１ｂ、６角ナット１ｃをねじからはずし、それらを重ねてパネルに対して略９０度傾けて図１（ａ）に示すパネルに形成したスリット７ｃに通している状態を示している。
【００２３】
図（ｅ）はフランジ１ｆのフラット面がパネル７に当接し、内歯ワッシャ１ａ、アースワッシャ１ｂ、６角ナット１ｃがスリット７を通り抜けた状態を示しており、
図（ｆ）は内歯ワッシャ１ａ、アースワッシャ１ｂをねじ１ｄに通し、６角ナット１ｃによりねじ込んで固定した状態を示している。
【００２４】
なお、図（ｄ）では内歯ワッシャ１ａ、アースワッシャ１ｂ、６角ナット１ｃを重ねて同時にスリットを通り抜けている状態を示したが、それぞれ一つづつ通すようにしてもよい。その場合は、スリットの幅ｋはいずれかの部品の最大の幅よりもわずかに大きく形成すればよい。また、図（ｄ）に示すケーブル組立１０では内歯ワッシャ１ａ、アースワッシャ１ｂは６角ナット１ｃでねじ込んで固定した状態を示したが、ねじ込まないで在庫してもよい。
【００２５】
また、図（ａ）では孔７ｂの曲面部に対向してスリット７ｃを形成したが、スリット７ｃは図（ｇ）に示すように一方のみに長く形成してもよく、図ｈに示すように平行に形成した部分に形成してもよく、要は孔７ｂが周り止めとして機能し、内歯ワッシャ１ａ、アースワッシャ１ｂ、６角ナット１ｃが単独又は重ねた状態で通り抜ける程度に形成されていればよい。
【００２６】
なお、以上の説明は、本発明の説明および例示を目的として特定の好適な実施例を示したに過ぎない。
従って本発明は、上記実施例に限定されることなく、その本質から逸脱しない範囲で更に多くの変更、変形を含むものである。
【符号の説明】
【００２７】
１      コネクタ
１ａ    内歯ワッシャ
１ｂ    アースワッシャ
１ｃ    ６角ナット
１ｄ    ねじ
１ｅ    端子
１ｆ    フランジ
２ａ    信号ケーブル
２ｂ    グランド（ＧＮＤ）ケーブル
３      接続プラグ
７      パネル
７ｂ    孔
７ｃ    スリット
１０    ケーブル組立
【図１】
2010212217.tif 000003
【図２】
2010212217.tif 000004